(57)【要約】      （修正有）【課題】ブロック順次駆動方式を用いたときの、ブロック終端画素部の保持容量の変動に起因するブロック境界付近の表示ムラの発生を抑制することができる電気光学装置及び電子機器を提供する。【解決手段】走査線１１２に対して所定の順番で選択電圧を供給する走査線駆動回路（Ｖドライバ）と、１水平走査期間に、データ線１１４を複数本毎にまとめたブロック単位で、各データ線１１４に対応する画素１１０にそれぞれ階調表示電圧を供給するデータ線駆動回路（ドライバＩＣ及びＨドライバ）とを備え、所定周期毎（１フレーム期間毎、１水平走査期間毎など）にデータ線１１４の走査方向（ブロック順次駆動の走査方向）を反転させる。【選択図】図２
2010117599.tif 000002
【特許請求の範囲】
【請求項１】
複数の走査線と、複数のデータ線と、前記複数の走査線と前記複数のデータ線との交差に対応して設けられた複数の画素と、前記走査線に対して所定の順番で選択電圧を供給する走査線駆動回路と、前記走査線に対して前記選択電圧が供給される１水平走査期間に、前記データ線を複数本毎にまとめたブロック単位で、各データ線に対応する前記画素にそれぞれ画像信号を供給するデータ線駆動回路と、を備える電気光学装置であって、
前記データ線駆動回路は、所定周期毎に前記データ線の走査方向を反転させることを特徴とする電気光学装置。
【請求項２】
前記所定周期は、１フレーム期間であることを特徴とする請求項１に記載の電気光学装置。
【請求項３】
前記所定周期は、複数フレーム期間であることを特徴とする請求項１に記載の電気光学装置。
【請求項４】
前記所定周期は、１水平走査期間であることを特徴とする請求項１〜３の何れか１項に記載の電気光学装置。
【請求項５】
前記所定周期は、複数水平走査期間であることを特徴とする請求項１〜３の何れか１項に記載の電気光学装置。
【請求項６】
前記請求項１〜５の何れか１項に記載の電気光学装置を備えることを特徴とする電子機器。
【発明の詳細な説明】
【技術分野】
【０００１】
本発明は、ブロック単位で画素に表示データを供給する電気光学装置及びその電気光学装置を備える電子機器に関する。
【背景技術】
【０００２】
アクティブマトリクス型の表示装置では、複数の走査線と複数のデータ線とを用いてマトリクス状に配置された表示領域に所望の表示を行う。このような表示装置では、複数の走査線について順次選択を行い、また、選択されている走査線に対応する各画素へ、データ信号線を介して映像信号を順次供給するために、シフトレジスタ回路技術が用いられる。
シフトレジスタは、走査線やデータ線の数に応じた段数のフリップフロップ等のシフトレジスタ回路要素を有するが、フリップフロップ等のシフトレジスタ回路要素の動作周波数には限界があり、例えば、現状では数ＭＨｚ程度である。このため、特に本数の多いデータ信号線の場合には、データ線を複数のブロックに分割し、ブロック毎に駆動するブロック順次駆動方式が採用される。
【０００３】
しかしながら、このようなブロック順次駆動方式においては、ブロックの境界付近で表示ムラが生じることがある。
この表示ムラが発生する原因として、各ブロック内の最終段の信号線電圧がビデオ信号に応じた電圧に上がりきる前に、その信号線に接続された画素ＴＦＴがオフしたり、各ブロック内の初段の信号線に接続された画素ＴＦＴがオンする前に、その信号線にビデオ信号が供給され始めたりすることが挙げられる。
このような原因によって表示ムラが発生するのを回避するために、データ線駆動回路へのビデオ信号の供給タイミングを調整するというものが知られている（例えば、特許文献１参照）。
【特許文献１】特開２０００−１９４３０８号公報
【発明の開示】
【発明が解決しようとする課題】
【０００４】
ところで、ブロック境界付近で表示ムラが発生する他の原因として、境界線上の信号線が、隣接する信号線との間の寄生容量によって電位の遥動を受けることで、隣接する１組のブロックのうち先に駆動されるブロックの終端画素部の保持容量が変動し、書き込んだデータに誤差が生じるということが挙げられる。
しかしながら、上記特許文献１に記載の表示装置にあっては、上記のような終端画素部の保持容量の変動に起因した表示ムラの発生は抑制することができない。
そこで、本発明は、ブロック順次駆動方式を用いたときの、ブロック終端画素部の保持容量の変動に起因するブロック境界付近の表示ムラの発生を抑制することができる電気光学装置及び電子機器を提供することを課題としている。
【課題を解決するための手段】
【０００５】
上記課題を解決するために、本発明に係る電気光学装置は、複数の走査線と、複数のデータ線と、前記複数の走査線と前記複数のデータ線との交差に対応して設けられた複数の画素と、前記走査線に対して所定の順番で選択電圧を供給する走査線駆動回路と、前記走査線に対して前記選択電圧が供給される１水平走査期間に、前記データ線を複数本毎にまとめたブロック単位で、各データ線に対応する前記画素にそれぞれ画像信号を供給するデータ線駆動回路と、を備える電気光学装置であって、前記データ線駆動回路は、所定周期毎に前記データ線の走査方向を反転させることを特徴としている。
これにより、ブロック順次駆動方式を採用する場合において、ブロック境界線上の一定の画素に常に変動保持電位が印加されるのを防止することができるので、ブロック終端画素部の保持容量の変動に起因するブロック境界付近の表示ムラを視認し難くすることができ、映像の表示品位の低下を抑制することができる。
【０００６】
また、本発明に係る電気光学装置は、上記において、前記所定周期は、１フレーム期間であることを特徴としている。
これにより、ブロック境界線上の各画素において、第１ブロックに属する画素と当該第１ブロックに隣接する第２ブロックに属する画素とで１フレーム期間毎に交互に変動保持電位を印加することができる。そのため、上記第１ブロックに属する画素に着目した場合、２フレーム期間毎に変動保持電位が印加される（１フレーム期間は保持電位の変動が解消される）ことになり、従来方式と比較して保持電位の変動を半減させることできる。このように、比較的簡易な構成でブロック境界付近の表示ムラを視認し難くすることができる。
【０００７】
さらに、本発明に係る電気光学装置は、上記において、前記所定周期は、複数フレーム期間であることを特徴としている。
これにより、ブロック境界線上の各画素において、第１ブロックに属する画素と当該第１ブロックに隣接する第２ブロックに属する画素とで複数フレーム期間毎に交互に変動保持電位を印加することができる。この場合、ブロック順次駆動の走査方向の切り替え回数が少なくてすむため、その分消費電力を削減することができる。
【０００８】
また、本発明に係る電気光学装置は、上記において、前記所定周期は、１水平走査期間であることを特徴としている。
これにより、ブロック境界線上の各画素においてデータ線が延在する方向で互いに隣接する画素のうち、一方の画素に変動保持電位を印加し、他方の画素に変動保持電位を印加しない構成とすることができる。そのため、ブロック境界付近の表示ムラを不鮮明にすることができ、当該表示ムラを視認し難くすることができる。
【０００９】
さらに、本発明に係る電気光学装置は、上記において、前記所定周期は、複数水平走査期間であることを特徴としている。
これにより、ブロック境界付近の表示ムラを不鮮明にすることができると共に、１水平走査期間毎にブロック順次駆動の走査方向を切り替える場合と比較して、ブロック順次駆動の走査方向の切り替え回数を削減することができるので、その分消費電力を削減することができる。
さらにまた、本発明の電子機器は、上記の何れかの電気光学装置を備えることを特徴としている。
これにより、ブロック境界付近の表示ムラを視認し難くして、表示品位を確保した電子機器とすることができる。
【発明を実施するための最良の形態】
【００１０】
以下、本発明の実施の形態を図面に基づいて説明する。
図１は本実施形態における電気光学装置１の全体構成を示すブロック図である。
この図に示されるように、電気光学装置１は、表示パネル１０と、Ｖドライバ２０と、ドライバＩＣ３０と、Ｈドライバ４０とを備える。ここで、Ｖドライバ２０が走査線駆動回路に対応し、ドライバＩＣ３０及びＨドライバ４０がデータ線駆動回路に対応している。
このうち、表示パネル１０は、特に図示しないが、素子基板と対向基板とが互いに電極形成面が対向するように、一定の間隙を保って貼り合わせられるとともに、この間隙に液晶を封入した構成となっている。
【００１１】
表示パネル１０の素子基板上には、後述する画素のスイッチング素子とＶドライバ２０の構成素子とＨドライバ４０の構成素子とがＳＯＧ（System On Glass）技術により共通プロセスによって形成されるとともに、半導体チップであるドライバＩＣ３０が、ＣＯＧ（Chip On Glass）技術等により実装されている。
なお、ドライバＩＣ３０は、ＳＯＧ技術により表示パネル１０の素子基板上に形成されていてもよいし、ＣＯＦ（Chip On Film）技術によりフレキシブル基板上に実装され、表示パネル１０の素子基板上にフレキシブル基板が実装される構成であってもよい。
【００１２】
また、表示パネル１０は表示領域１００を有する。この表示領域１００には、複数（ｍ本）の走査線１１２が行（Ｘ）方向に延在すると共に、複数のデータ線１１４が列（Ｙ）方向に延在するように、かつ、各走査線１１２と互いに電気的な絶縁を保つように設けられている。そして、各走査線１１２と各データ線１１４との交差部分には、画素１１０がそれぞれ配列している。
表示パネル１０の対向基板にはカラーフィルタ等が形成されており、これにより、カラー表示が可能となっている。
また、複数のデータ線１１４は、所定本数毎（本実施形態ではｎ本毎）に４つのブロックＢ１〜Ｂ４にブロック化されている。
【００１３】
次に、画素１１０の詳細な構成について説明する。
図２は、画素１１０の構成を示す図である。ここでは、１行目と、ブロックＢ１のｎ列目およびブロックＢ２の１列目との交差に対応する計２画素分の構成（最終段画素部と初段画素部との構成）を示している。
この図２に示されるように、各画素１１０は、画素スイッチング素子として機能するｎチャネル型の薄膜トランジスタ（以下、ＴＦＴと称す）１１６と、画素容量（液晶容量）１２０と、蓄積容量１３０とを有する。
各画素１１０については互いに同一構成なので、最終段画素部について説明すると、ＴＦＴ１１６のゲート電極は１行目の走査線１１２に接続される一方、そのソース電極はブロックＢ１のｎ列目のデータ線１１４に接続され、そのドレイン電極は画素容量１２０の一端である画素電極に接続されている。ここで、符号ＤａはＴＦＴ１１６のドレイン電位である。
【００１４】
また、画素容量１２０の他端は共通電極１０８に接続されている。この共通電極１０８は、図１に示すように、全ての画素１１０にわたって共通である。
画素容量１２０は、画素電極と共通電極１０８とで誘電体の一種である液晶を挟持しており、画素電極と共通電極１０８との差電圧を保持する構成となっている。この構成において、画素容量１２０では、その透過光量が当該保持電圧の実効値に応じて変化することになる。
また、各データ線１１４と画素電極との間には、配線間容量等に起因する寄生容量１４０が存在する。
【００１５】
図１に戻って、Ｖドライバ２０は、シフトレジスタを内蔵し、図示しない制御回路から供給されるスタートパルスＶＳＰをクロック信号ＶＣＫにしたがって順次シフトすること等によって走査信号Ｖ１〜Ｖｍを出力し、複数の走査線１１２を順次選択する。
また、ドライバＩＣ３０もシフトレジスタを内蔵しており、ここではブロック数に相当する４段で構成されている。これにより、上記制御回路から入力された適当な入力信号と同様な信号を、クロック信号の変化毎に順次４個出力することになる。
そして、この出力信号（スキャン信号ＳＣＮ１〜ＳＣＮ４）を、４個のブロックＢ１〜Ｂ４の選択信号とすることで、クロック信号の変化に同期して、４個のブロックＢ１〜Ｂ４を順次選択することができる。
【００１６】
さらに、ドライバＩＣ３０は、上記制御回路から入力される１水平走査期間の映像信号を４分割し、ブロック毎にまとめたデータをＨドライバ４０に供給する機能を有する。具体的には、制御回路がドライバＩＣ３０に対してＢ１からＢ４までのブロック番号を順次指定することで、ドライバＩＣ３０は、指定されたブロック番号に対応するｎ個のビデオデータ（ＶＩＤ１〜ＶＩＤｎ）をＨドライバ４０に順次供給する。
例えば、制御回路がドライバＩＣ３０に対してＢ４からＢ１までのブロック番号を順次指定すると、ブロックＢ４からブロックＢ１までブロック毎にまとまったビデオデータ（ＶＩＤ１〜ＶＩＤｎ）がＨドライバ４０に順次供給されることになる。
【００１７】
Ｈドライバ４０は、複数の選択スイッチ群４１を備える。選択スイッチ群４１は、４個のブロックにそれぞれ対応して設けられる４群の選択スイッチ群であり、各選択スイッチ群４１は、それぞれ複数の選択スイッチ（ＨＳＷ）４２を含んで構成される。各群を構成する選択スイッチ４２の数は、対応するブロックに属するデータ線１１４の本数と同じｎ個である。
この選択スイッチ群４１は、ドライバＩＣ３０から順次供給されるビデオデータＶＩＤ１〜ＶＩＤｎを、スキャン信号ＳＣＮによって順次選択されるブロックに対応するデータ線１１４に、それぞれブロック単位の映像データとして供給する機能を有する。
【００１８】
各データ線１１４にはそれぞれ選択スイッチ４２が接続されており、同じブロックに属するデータ線１１４に対応する選択スイッチ４２には同じスキャン信号ＳＣＮが供給される。すなわち、スキャン信号ＳＣＮ１はブロックＢ１に対応する選択スイッチ群４１に供給され、スキャン信号ＳＣＮ２はブロックＢ２に対応する選択スイッチ群４１に供給され、同様に、スキャン信号ＳＣＮ３はブロックＢ３に対応する選択スイッチ群４１に、スキャン信号ＳＣＮ４はブロックＢ４に対応する選択スイッチ群４１に供給される。
【００１９】
選択スイッチ４２は、図２に示すように、ｐチャネルトランジスタとｎチャネルトランジスタとを組み合わせたトランスミッションゲート型のスイッチ４２ａを含み、ｐチャネルトランジスタとｎチャネルトランジスタとを同時にオン、オフさせるために、スキャン信号ＳＣＮを反転させるインバータ４２ｂが設けられている。各選択スイッチ４２は、一端が、ビデオデータＶＩＤ１〜ＶＩＤｎが供給される信号供給線の何れかに接続され、他端が複数のデータ線１１４の何れかに接続される。
このような構成により、各選択スイッチ群４１を構成するｎ個の選択スイッチ４２は、それぞれ同時にオン／オフすることになり、選択スイッチ群４１の出力であるビデオデータＶＩＤ１〜ＶＩＤｎが、Ｂ１からＢ４のブロック毎にまとまって、各データ線１１４に供給される。
【００２０】
次に、ブロック順次駆動方式の基本動作について説明する。ここでは、ブロック順次駆動の走査方向、即ちブロックを選択する方向を図１における左側から右側とし、ブロックをＢ１、Ｂ２、Ｂ３、Ｂ４の順に選択するものとする。
まず、最初のブロックＢ１では次のように動作する。このブロックＢ１は、表示領域１００において、１列目からｎ列目までのデータ線１１４を１つのブロックとしたものである。
図示しない制御回路によってブロックＢ１が指定されると、ドライバＩＣ３０からブロックＢ１に対応するビデオデータＶＩＤ１〜ＶＩＤｎがＨドライバ４０に供給される。
【００２１】
また、ドライバＩＣ３０からブロックＢ１を選択するためのスキャン信号ＳＣＮ１が出力され、１列目からｎ列目までのデータ線１１４に接続されたｎ個の選択スイッチ４２が一斉にオンする。
これにより、ビデオデータＶＩＤ１は１列目のデータ線１１４に、ビデオデータＶＩＤ２は２列目のデータ線１１４に、以下同様に、ビデオデータＶＩＤｎはｎ列目のデータ線１１４に供給される。このようにして、ブロックＢ１に属するｎ本のデータ線１１４に、それぞれに対応する映像データが供給される。
【００２２】
そして、次に、ドライバＩＣ３０からブロックＢ２に対応するスキャン信号ＳＣＮ２が出力されることになるが、その前に、ドライバＩＣ３０からブロックＢ２に対応するビデオデータＶＩＤ１〜ＶＩＤｎがＨドライバ４０に供給される。
ブロックＢ２に対応する選択スイッチ群４１も、ブロックＢ１に対応する選択スイッチ群４１と同様の構成である。したがって、ブロックＢ１用のスキャン信号ＳＣＮ１がオフとなり、次のスキャン信号ＳＣＮ２がオンとなると、ブロックＢ２用のビデオデータＶＩＤ１は（ｎ＋１）列目（ブロックＢ２の１列目）のデータ線１１４に、ビデオデータＶＩＤ２は（ｎ＋２）列目（ブロックＢ２の２列目）のデータ線１１４に、以下同様に、ビデオデータＶＩＤｎは（２ｎ）列目（ブロックＢ２のｎ列目）のデータ線１１４に供給される。このようにして、ブロックＢ２に属するｎ本のデータ線１１４に、それぞれに対応する映像データが供給される。
【００２３】
この動作を、ブロックＢ４に対応するスキャン信号ＳＣＮ４が出力されるまで繰り返すことで、Ｈドライバ２０で選択した行に対応する（４ｎ）個の画素１１０の画素電極に、データ線１１４を介してそれぞれ映像データに応じた画像電圧が印加され、１行分のデータ書き込みが完了する。
ここで、第１の実施形態では、ブロック順次駆動の走査方向を１フレーム期間毎に切り替えるものとする。つまり、ある１フレーム期間において、ブロック順次駆動の走査方向を図１の左側から右側とした場合、次の１フレーム期間においては、ブロック順次駆動の走査方向を図１の右側から左側とする、すなわちブロックをＢ４、Ｂ３、Ｂ２、Ｂ１の順に選択する。
【００２４】
図３は、第１の実施形態の動作を説明するためのタイミングチャートである。ここでは、１行目の走査線１１２選択時の動作について説明する。なお、この図３において、ＤａはブロックＢ１における右端の画素のドレイン電位、ＤｂはブロックＢ２における左端の画素のドレイン電位を示している。
時刻ｔ１で、Ｖドライバ２０から走査信号Ｖ１が１行目の走査線１１２に供給されると、１行目の走査線１１２に接続されたＴＦＴ１１６がすべてオン状態（導通状態）となる。
ここで、ブロック順次駆動の走査方向が図１の左側から右側であるものとすると、時刻ｔ２で、ドライバＩＣ３０からＨドライバ４０に、ブロックＢ１に対応するスキャン信号ＳＣＮ１が出力される。その後、ブロックＢ１に対応するビデオデータＶＩＤ１〜ＶＩＤｎが出力され、ブロックＢ１に属するｎ本のデータ線１１４に同時に映像データが供給される。
【００２５】
これにより、ブロックＢ１に属する１行目のｎ個の画素１１０に、データ線１１４およびオン状態のＴＦＴ１１６を介して映像データが供給されて、この映像データに基づく画像電圧が画素電極に書き込まれる。これにより、画素電極と共通電極１０８との間に電位差が生じて、駆動電圧が液晶に印加される。
このようにして画素容量１２０に供給された差電圧は、時刻ｔ３でブロックＢ１に対応するスキャン信号ＳＣＮ１およびビデオデータＶＩＤ１〜ＶＩＤｎの出力が停止された後も保持される。
そして、ドライバＩＣ３０からＨドライバ４０に、ブロックＢ２に対応するスキャン信号ＳＣＮ２が出力された後、時刻ｔ４で、ブロックＢ２に対応するビデオデータＶＩＤ１〜ＶＩＤｎが出力されると、ブロックＢ２に属するｎ本のデータ線１１４に同時に映像データが供給される。
【００２６】
これにより、ブロックＢ２に属する１行目のｎ個の画素１１０に、データ線１１４およびオン状態のＴＦＴ１１６を介して映像データが供給されて、この映像データに基づく画像電圧が画素電極に書き込まれる。
このとき、ブロックＢ１の右端に配置された画素（最終段画素部）の保持電位Ｄａは、ブロックＢ２の左端に配置された画素（初段画素部）のソース電位と、上記最終段画素部のドレイン電極と上記初段画素部のソース電極との間の寄生容量１４０との影響を受けて変動する。この変動保持電位ΔＤａは、次のフレーム期間で再び１行目のブロックＢ１への書き込みが行われるまでの間、保持されることになる。
【００２７】
そして、次のフレーム期間が開始され、時刻ｔ５でＶドライバ２０から走査信号Ｖ１が１行目の走査線１１２に供給されると、１行目の走査線１１２に接続されたＴＦＴ１１６がすべてオン状態となる。
この１フレーム期間では、ブロック順次駆動の走査方向が図１の右側から左側へ切り替わる。したがって、ドライバＩＣ３０からＨドライバ４０に、ブロックＢ２に対応するスキャン信号ＳＣＮ２およびビデオデータＶＩＤ１〜ＶＩＤｎが出力された後に、ドライバＩＣ３０からＨドライバ４０に、ブロックＢ１に対応するスキャン信号ＳＣＮ１およびビデオデータＶＩＤ１〜ＶＩＤｎが出力されることになる。
【００２８】
そのため、この１フレーム期間では、時刻ｔ６で、先に駆動されるブロックＢ２の左端に配置された画素（最終段画素部）の保持電位Ｄｂが、ブロックＢ１の右端に配置された画素（初段画素部）のソース電位と、上記最終段画素部のドレイン電極と上記初段画素部のソース電極との間の寄生容量１４０との影響を受けて変動し、ブロックＢ１の右端に配置された画素の保持電位Ｄａは変動しない。
【００２９】
すなわち、ブロックＢ１の右端に配置された画素とブロックＢ２の左端に配置された画素とで、１フレーム期間毎に交互に変動保持電位が印加されることになる。そのため、ブロックＢ１の右端に配置された画素に着目すると、２フレーム期間毎に変動保持電位が印加される（１フレーム期間は保持電位の変動が解消される）ことになる。
このように、第１の実施形態では、１フレーム期間毎にブロック順次駆動の走査方向を切り替えるので、隣接する１組のブロックにそれぞれ属し、互いに隣接するデータ線１１４に対応する各画素に対して、変動保持電位が２フレーム期間毎に相反的に印加される。
【００３０】
次に、一般的なブロック順次駆動方式を採用した場合の動作について説明する。
図４は、一般的なブロック順次駆動方式を採用した場合の動作を説明するためのタイミングチャートである。この一般的なブロック順次駆動方式では、ブロック順次駆動の走査方向を常に一定（図１の左側から右側）とするものである。
この場合、最初の１フレーム期間では、時刻ｔ１１で、先に駆動されるブロックＢ１の右端に配置された画素（最終段画素部）の保持電位Ｄａが寄生容量１４０の影響を受けて変動する。
また、次の１フレーム期間においても、ブロック順次駆動の走査方向が同じであり、ブロックＢ１への書き込みが行われた後にブロックＢ２への書き込みが行われることから、時刻ｔ１２で、ブロックＢ１の右端に配置された画素（最終段画素部）の保持電位Ｄａが寄生容量１４０の影響を受けて変動する。
【００３１】
このように、ブロック順次駆動の走査方向を常に一定とすると、ブロック境界線上の一定の画素列に常に変動保持電位が印加されることになる。そのため、この変動保持電位は、ブロック境界スジとして視認されやすい。
これに対して、第１の実施形態では、第１ブロックに属する画素と当該第１ブロックに隣接する第２ブロックに属する画素とで１フレーム期間毎に交互に変動保持電位を印加することができる。そのため、上記第１ブロックに属する画素に着目した場合、２フレーム期間毎に変動保持電位が印加される（１フレーム期間は保持電位の変動が解消される）ことになり、従来方式と比較して保持電位の変動を半減させることできる。
【００３２】
このように、上記第１の実施形態では、比較的簡易な構成でブロック境界スジを視認し難くすることができ、表示品位の低下を抑制することができる。
なお、上記第１の実施形態においては、１フレーム毎にブロック順次駆動の走査方向を切り替える場合について説明したが、複数フレーム毎にブロック順次駆動の走査方向を切り替えるようにしてもよい。この場合にも、ブロック境界スジを視認し難くする効果が得られる。また、１フレーム毎にブロック順次駆動の走査方向を切り替える場合と比較して、ブロック順次駆動の走査方向の切り替え回数が減るので、その分消費電力を削減することができる。
【００３３】
次に、本発明における第２の実施形態について説明する。
この第２の実施形態は、前述した第１の実施形態において、１フレーム毎にブロック順次駆動の走査方向を切り替えているのに対し、１水平走査期間毎にブロック順次駆動の走査方向を切り替えるようにしたものである。
図５は、第２の実施形態の動作を説明するためのタイミングチャートである。ここでは、１行目と２行目の走査線１１２選択時の動作について説明する。
なお、この図５において、Ｄａ１はブロックＢ１における１行目右端の画素のドレイン電位、Ｄａ２はブロックＢ１における２行目右端の画素のドレイン電位、Ｄｂ１はブロックＢ２における１行目左端の画素のドレイン電位、Ｄｂ２はブロックＢ２における２行目左端の画素のドレイン電位、を示している。
【００３４】
時刻ｔ２１で、Ｖドライバ２０から走査信号Ｖ１が１行目の走査線１１２に供給されると、１行目の走査線１１２に接続されたＴＦＴ１１６がすべてオン状態となる。
ここで、最初の１水平走査期間（１Ｈ）において、ブロック順次駆動の走査方向が図１の左側から右側であるものとすると、ドライバＩＣ３０からＨドライバ４０に、ブロックＢ１に対応するスキャン信号ＳＣＮ１が出力された後、時刻ｔ２２でビデオデータＶＩＤ１〜ＶＩＤｎが出力され、ブロックＢ１に属するｎ本のデータ線１１４に同時に映像データが供給される。これにより、ブロックＢ１に属する１行目の画素１１０の画素電極に画像電圧が書き込まれる。
【００３５】
そして、ドライバＩＣ３０からＨドライバ４０に、ブロックＢ２に対応するスキャン信号ＳＣＮ２が出力された後、時刻ｔ２３でビデオデータＶＩＤ１〜ＶＩＤｎが出力されると、ブロックＢ２に属するｎ本のデータ線１１４に同時に映像データが供給される。これにより、ブロックＢ２に属する１行目の画素１１０の画素電極に画像電圧が書き込まれる。
このとき、ブロックＢ１の１行目右端に配置された画素（最終段画素部）の保持電位Ｄａ１は、寄生容量１４０の影響を受けて変動する。
その後、次の１水平走査期間が開始され、時刻ｔ２４でＶドライバ２０から走査信号Ｖ２が２行目の走査線１１２に供給されると、２行目の走査線１１２に接続されたＴＦＴ１１６がすべてオン状態となる。
【００３６】
この１水平走査期間では、ブロック順次駆動の走査方向が図１の右側から左側へ切り替わる。したがって、ドライバＩＣ３０からＨドライバ４０に、ブロックＢ２に対応するスキャン信号ＳＣＮ２およびビデオデータＶＩＤ１〜ＶＩＤｎが出力された後に、ドライバＩＣ３０からＨドライバ４０に、ブロックＢ１に対応するスキャン信号ＳＣＮ１およびビデオデータＶＩＤ１〜ＶＩＤｎが出力されることになる。
そのため、この１水平走査期間では、時刻ｔ２５で、先に駆動されるブロックＢ２の２行目左端に配置された画素（最終段画素部）の保持電位Ｄｂ２が、寄生容量１４０の影響を受けて変動し、ブロックＢ１の２行目右端に配置された画素の保持電位Ｄａ２は変動しない。
【００３７】
すなわち、第２の実施形態では、１水平走査期間毎にブロック順次駆動の走査方向を切り替えるので、ブロック境界線上の各画素においてデータ線１１４が延在する方向で互いに隣接する画素１１０のうち、一方の画素１１０に変動保持電位を印加し、他方の画素１１０に変動保持電位を印加しない構成とすることができる。
このように、上記第２の実施形態では、ブロック境界付近の表示ムラを不鮮明にすることができ、上述した第１の実施形態と同様に、ブロック境界スジを視認し難くすることができる。
【００３８】
なお、上記第２の実施形態においては、１水平走査期間毎にブロック順次駆動の走査方向を切り替える場合について説明したが、複数水平走査期間毎にブロック順次駆動の走査方向を切り替えるようにしてもよい。この場合にも、ブロック境界スジを視認し難くする効果が得られる。また、１水平走査期間毎にブロック順次駆動の走査方向を切り替える場合と比較して、ブロック順次駆動の走査方向の切り替え回数が減るので、その分消費電力を削減することができる。
また、上記第２の実施形態においては、１水平走査期間毎（又は複数水平走査期間毎）のブロック順次駆動の走査方向の切り替えに加えて、１フレーム期間毎（又は複数フレーム期間毎）のブロック順次駆動の走査方向の切り替えを行うこともできる。これにより、よりブロック境界スジを視認し難くすることができる。
【００３９】
なお、上記各実施形態においては、本発明を、液晶表示装置に適用する場合について説明したが、液晶以外の電気光学物質を用いた表示装置、例えば有機ＥＬやプラズマ放電を用いた表示装置に適用することもできる。
また、上記各実施形態の電気光学装置は、電子機器に搭載される表示装置として用いることができる。電子機器とは具体的にはモニター、ＴＶ、ノートパソコン、ＰＤＡ、デジタルカメラ、ビデオカメラ、携帯電話機、携帯フォトビューワー、携帯ビデオプレイヤー、携帯ＤＶＤプレイヤー、携帯オーディオプレイヤーなどである。
【図面の簡単な説明】
【００４０】
【図１】本実施形態における電気光学装置の全体構成を示すブロック図である。
【図２】画素の構成を示す図である。
【図３】第１の実施形態の動作を説明するためのタイミングチャートである。
【図４】一般的なブロック順次駆動方式を採用した場合の動作を説明するためのタイミングチャートである。
【図５】第２の実施形態の動作を説明するためのタイミングチャートである。
【符号の説明】
【００４１】
１…電気光学装置、１０…表示パネル、２０…Ｖドライバ、３０…ドライバＩＣ、４０…Ｈドライバ、４１…選択スイッチ群、４２…選択スイッチ、１００…表示領域、１０８…共通電極、１１０…画素、１１２…走査線、１１４…データ線、１１６…ＴＦＴ、１１８…画素電極、１２０…画素容量、１３０…蓄積容量、１４０…寄生容量
【図１】
2010117599.tif 000003
【図２】
2010117599.tif 000004
【図３】
2010117599.tif 000005
【図４】
2010117599.tif 000006
【図５】
2010117599.tif 000007